(57)【要約】【課題】リング状係止部材のみの回動操作によって、ケースとカバー及びベースが着脱できる構造として、熱線センサの小型化を図ることができると共に、取付作業性を向上させ得る熱線センサのケース構造を提供する。【解決手段】天井等の取付面に取り付けられるベースと、検知素子等を有する光学ユニットが取り付けられるケースと、該ケースに光学ユニットを覆うように取り付けられるカバーと、を備え、ケースとカバー及びベースは、カバーの外周部に配置されるリング状係止部材の回動動作によって着脱されることを特徴とする。前記リング状係止部材は、円周方向の所定位置に複数の係止手段を有してケースに取り付けられると共に、係止手段の複数の係止部にカバー及びベースが着脱可能に係止される。【選択図】  図６
2008107239.tif 000002
【特許請求の範囲】
【請求項１】
天井等の取付面に取り付けられるベースと、検知素子等を有する光学ユニットが取り付けられるケースと、該ケースに前記光学ユニットを覆うように取り付けられるカバーと、を備え、
前記ケースとカバー及びベースは、カバーの外周部に配置されるリング状係止部材の回動動作によって着脱されることを特徴とする熱線センサのケース構造。
【請求項２】
前記リング状係止部材は、円周方向の所定位置に複数の係止手段を有して前記ケースに回動可能に取り付けられると共に、前記係止手段に設けられた複数の係止部に前記カバー及びベースが着脱可能に係止されることを特徴とする請求項１に記載の熱線センサのケース構造。
【発明の詳細な説明】
【技術分野】
【０００１】
本発明は、検知素子により赤外線を受光して侵入者等の移動物体を検知する熱線センサのケース構造に関する。
【背景技術】
【０００２】
一般的に、侵入者の検知を行う警報システムにおいて用いられる熱線センサは、侵入者の検知エリアを設定する反射鏡等の光学系及びこの光学系の略焦点位置に配置された検知素子等からなる光学ユニットと、この光学ユニットで検知された信号を処理する処理回路等を備え、これらがカバーで覆われた状態となっている。従来、この種の熱線センサは、前記光学ユニットがケースに取り付けられ、このケースがベースを介して取り付けられることにより天井等に設置されると共に、ケースにカバーが着脱可能に取り付けられるようになっている。なお、この種のカバーを有する熱線センサに関する公報としては、例えば特許文献１に開示のものが知られている。
【特許文献１】特開平８−４３１９４号公報
【発明の開示】
【発明が解決しようとする課題】
【０００３】
しかしながら、このようなケース構造にあっては、ベースに対してケースを取り付ける際に、ベースにケースを押し付けた後に回動させることにより係止させる構造であるため、ケースとベースの押し付け時にその向かい合う面に互いに突起物がある場合、その突起物が回動によって干渉しない空間を設ける必要があり、熱線センサの小型化の妨げとなっている。また、ケースからカバーを外す機構とベースからケースを外す機構が独立しているため、それぞれについてロック及び解除のための構造、部品が必要な他、独立しているが故にそれらが同時に外れる操作をしたり、逆にロック操作を忘れる虞があり、取付作業性の面でも好ましくない。
【０００４】
本発明は、このような事情に鑑みてなされたもので、その目的は、リング状係止部材のみの回動操作によって、ケースとカバー及びベースが着脱できる構造として、ケースとカバー及びベースを相対的に回転させて着脱する構造において必要であった内部空間を省略し、熱線センサの小型化を図ることができると共に、取付作業性を向上させ得る熱線センサのケース構造を提供することにある。
【課題を解決するための手段】
【０００５】
かかる目的を達成すべく、本発明のうち請求項１に記載の発明は、天井等の取付面に取り付けられるベースと、検知素子等を有する光学ユニットが取り付けられるケースと、該ケースに光学ユニットを覆うように取り付けられるカバーと、を備え、前記ケースとカバー及びベースは、カバーの外周部に配置されるリング状係止部材の回動動作によって着脱されることを特徴とする。
【０００６】
そして、前記リング状係止部材は、請求項２に記載の発明のように、円周方向の所定位置に複数の係止手段を有して前記ケースに回動可能に取り付けられると共に、前記係止手段に設けられた複数の係止部に前記カバー及びベースが着脱可能に係止されることが好ましい。
【発明の効果】
【０００７】
本発明のうち請求項１に記載の発明によれば、取付面に取り付けられるベースと、光学ユニットが取り付けられるケース及びケースに光学ユニットを覆うように取り付けられるカバーが、カバーの外周部に配置されるリング状係止部材の回動動作によって着脱されるため、リング状係止部材の回動操作のみにより、ケースとカバー及びベースを着脱できて、ケースとカバー及びベースを相対的に回転させて着脱する構造において必要であった内部空間を省略し、熱線センサの小型化を図ることができると共に、ロック及び解除のための構成を簡略化して、熱線センサの取付作業性等を向上させることができる。
【０００８】
また、請求項２に記載の発明によれば、請求項１に記載の発明の効果に加え、リング状係止部材が複数の係止手段を有してケースに取り付けられると共に、係止手段の複数の係止部にカバーやベースが係止されるため、例えば各係止手段の３つの係止部によりケースとカバー及びベースを着脱できて、係止機構の構成の簡略化を図ることができる。
【発明を実施するための最良の形態】
【０００９】
以下、本発明の実施の形態を図面に基づいて詳細に説明する。
図１〜図９は、本発明に係わるケース構造を備えた熱線センサの一実施形態を示し、図１がその斜視図、図２がそのリング状係止部材を取り外した状態の斜視図、図３がその取付面側から見た斜視図、図４がケースとリング状係止部材の分解斜視図、図５が動作を説明するための要部の概略斜視図、図６が各部材が一体化された状態を模式的に示す縦断面図、図７及び図８が各部材の着脱を示す斜視図、図９が各状態を概念的に示す縦断面図である。
【００１０】
図１及び図２に示すように、熱線センサ１は、警戒エリアの天井（取付面）に取り付けられるベース２と、このベース２に取り付けられると共に内部に図示しない光学ユニットが取り付けられるケース３（図２参照）と、このケース３を覆うように取り付けられるカバー４と、前記ベース２、ケース３及びカバー４を互いに着脱可能に係止させるリング状係止部材５等を備えている。
【００１１】
前記ベース２は、図３に示すように、略円盤状に形成され、天井取付用の長孔からなる複数の取付孔６や基板チェッカー用の複数の孔７が形成されると共に、中心位置には配線用の開口８等が形成されている。また、ベース２は、その外周部の所定位置にネジ孔９が形成されると共に、外周部の所定位置に係止部１０が形成されている。そして、このベース２は、取付孔６から天井に図示しない取付ネジをねじ込むことにより、天井に略密着状態で取り付けられるようになっている。
【００１２】
前記ケース３は、図４に示すように、平板部３ａと周壁部３ｂを有して略円盤状に形成され、平板部３ａの中央には所定間隔を有して対向した一対の光学ユニット取付板１１が立設状態で例えば一体形成されている。また、ケース３の周壁部３ｂの外側には、円周方向に所定間隔を有して係止手段１２が複数一体形成され、この各係止手段１２は、隙間からなる解除部１２ａと一対の係止部１２ｂ、１２ｃ等を有している。そして、この各係止手段１２に後述するリング状係止部材５が係止されたり解除されるようになっている。
【００１３】
前記リング状係止部材５は、図４に示すように、所定幅の円環形状に形成され、円周方向の十字位置には係止突起１３（係止手段）がそれぞれ一体形成され、この係止突起１３は上下方向に所定間隔を有して内側方向にそれぞれ突出した３つの係止部１３ａ〜１３ｃを有している。また、リング状係止部材５の円周方向の所定位置には、取付ネジ１４が回転可能に配設されており、この取付ネジ１４が前記ベース２のネジ孔９にねじ込み可能となっている。
【００１４】
前記カバー４は、図１及び図２に示すように、半円錐状のカバー本体４ａと鍔部４ｂを有し、鍔部４ｂの円周方向の所定位置には、外周面側に開口する状態で係止溝１５（図６及び図９参照）が形成されている。そして、前記ベース２、ケース３、カバー４及びリング状係止部材５は、図５に示す円周方向に沿った各位置において、互いにロックされたりあるいはロックが解除されて脱着できるように設定されている。
【００１５】
すなわち、リング状係止部材５とカバー４は、位置Ａにおいてロックされて位置Ｂにおいて脱着され、リング状係止部材５とベース２は、位置Ｃにおいてロックされて位置Ｄにおいて脱着され、リング状係止部材５とケース３は、位置Ｅにおいてロックされて位置Ｆにおいて脱着可能となっている。また、リング状係止部材５は、先ずケース３に対して位置Ｆで取り付けられ、その後の各部品との着脱の際には常に位置Ｅの範囲内で回動、つまり全てがロックされた状態である位置Ａから、左に回して位置Ｄとすればベース２が外れ、右に回して位置Ｂとすればカバー４が外れるようになっている。なお、図５の矢印イは、リング状係止部材５の係止突起１３の動きを示している。
【００１６】
次に、このように構成されたベース２、ケース３及びカバー４の設置方法の一例について説明する。先ず、図示しない各種基板等が取り付けられたベース２を、天井にその取付孔６から図示しない取付ネジをねじ込むことにより固定する。この時、天井に引き出されている配線をベース２の開口８から引き出し、図示しないベース２の基板に接続すると共にケース３の平板部３ａ裏面に設けられているコネクタ等に接続する。
【００１７】
そして、図９（ｃ）に示すように、カバー４の鍔部４ｂの係止溝１５にリング状係止部材５の係止部１３ｃが係止され、ケース３の係止部１２ｂにリング状係止部材５の係止部１３ｂが係止されることによって一体化されたカバー４、リング状係止部材５及びケース３について、リング状係止部材５の係止部１３を図５に示す位置Ｄに設定し、その外周部を、図９（ｄ）に示すように、ベース２の外周部に当接させた状態にする。
【００１８】
次に、この状態で、リング状係止部材５を円周方向に所定角度回動させて前記位置Ａに設定することにより、図６に示すように、リング状係止部材５の係止部１３ｃがベース２の係止部１０に係止され、３つの部材２〜４がリング状係止部材５でロックされた状態となる。このロック状態で、リング状係止部材５の取付ネジ１４をケース２の外側を通してベース２のネジ孔９にねじ込みことにより、リング状係止部材５が回動不能となって、各部品との着脱可能位置に設定できなくなり、熱線センサ１が設置状態とされる。
【００１９】
一方、設置状態のカバー４を例えばメンテナンス時等に取り外す場合は、取付ネジ１４を緩めてベース２のネジ孔９から抜き、リング状係止部材５を円周方向に所定角度回動させて前記位置Ｂに設定することにより、取り外すことができる。さらに、図９（ｂ）に示すように、ケース３をベース２から取り外す場合は、前記位置Ｄに設定することにより行うことができる。
【００２０】
このように、上記実施形態の熱線センサ１のケース構造にあっては、天井に取り付けられるベース２と、光学系や検知素子等からなる光学ユニットが取り付けられるケース３及びケース３を覆うように配置されるカバー４が、カバー４の外周部に配置されるリング状係止部材５の回動動作によって着脱されるため、リング状係止部材５の回動操作のみによって、カバー４とケース３及びベース２を着脱することができる。特に、リング状係止部材５の複数の所定位置に３つの係止部１３ａ〜１３ｃを有する係止突起１３がそれぞれ形成され、その各係止部１３ａ〜１３ｃによりリング状係止部材５を介してカバー４とケース３、ケース３とベース２がそれぞれ着脱されることから、リング状係止部材５の回動範囲をできるだけ小さくした状態でその着脱の操作性を一層向上させることができる。
【００２１】
また、ベース２とケース３及びカバー４の係止機構が、円周方向の十字位置に設けた係止突起１３部分に集中して設けられると共に、係止突起１３が３つの係止部１３ａ〜１３ｃを有しているため、各部材２〜４の係止機構を簡略化してその内部空間を有効利用でき、例えば電気配線を容易に行ったり、各部材２〜５の取り付けや取り外し作業等の作業性を向上させて、コスト的に有利なケース構造を得ることができる。
【００２２】
また、リング状係止部材５の取付ネジ１４がケース３の外側を通過する状態、すなわちケース３に何等関与することなくベース２のネジ孔９にねじ込まれるため、互いにロック状態とされたカバー４、ケース３及びベース２を３つの係止部１３ａ〜１３ｃを有するリング状係止部材５を介して確実に固定（取り付け）でき、カバー４やケース２（すなわち熱線センサ１）に安定した取付状態を得ることができて、熱線センサ１が長期に亘り信頼性の高い検知動作を行うことが可能となる。
【００２３】
なお、上記実施形態においては、リング状係止部材５の外周十字位置に係止突起１３をそれぞれ設けたが、例えば係止突起１３を円周方向の等分位置に３箇所設けたり直径方向の対向位置に２箇所設けることもできる。また、上記実施形態におけるリング状係止部材５の全体形状、係止突起１２、１３の形状等も一例であって、本発明に係わる各発明の要旨を逸脱しない範囲において適宜に変更することができる。
【産業上の利用可能性】
【００２４】
本発明は、ベースを介して取付面としての天井に取り付けられる熱線センサに限らず、取付面としての壁面上部等に取り付けられる各種熱線センサのケース構造にも適用できる。
【図面の簡単な説明】
【００２５】
【図１】本発明に係わるケース構造を備えた熱線センサの一実施形態を示す斜視図
【図２】同そのリング状係止部材を取り外した状態の斜視図
【図３】同その取付面側から見た斜視図
【図４】同ケースとリング状係止部材の分解斜視図
【図５】同動作を説明するための要部斜視図
【図６】同各部材が一体化された状態を模式的に示す縦断面図
【図７】同ケースとベースの着脱を示す斜視図
【図８】同ケースとカバーの着脱を示す斜視図
【図９】同カバー、ケース及びベースの各状態を概念的に示す縦断面図
【符号の説明】
【００２６】
１・・・熱線センサ、２・・・ベース、３・・・ケース、３ａ・・・平板部、３ｂ・・・周壁部、４・・・カバー、５・・・リング状係止部材、６・・・取付孔、９・・・ネジ孔、１０・・・係止部、１１・・・光学ユニット取付板、１２・・・係止突起、１２ａ・・・解除部、１２ｂ、１２ｃ・・・係止突起、１３・・・係止突起、１３ａ〜１３ｃ・・・係止部、１４・・・取付ネジ、１５・・・係止溝。
【図１】
2008107239.tif 000003
【図２】
2008107239.tif 000004
【図３】
2008107239.tif 000005
【図４】
2008107239.tif 000006
【図５】
2008107239.tif 000007
【図６】
2008107239.tif 000008
【図７】
2008107239.tif 000009
【図８】
2008107239.tif 000010
【図９】
2008107239.tif 000011